【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
内面がマイクロ発泡樹脂シートで形成された天面と側面から構成され、前記天面との対向面に開口部が形成される枠体と、
前記天面の中心に配置されたＬＥＤ光源と、
前記枠体の開口部に、前記枠体の内側面から所定距離離隔して、前記開口部の中心側に前記天面と対向するように配置される反射板と、
前記枠体の開口部に、前記反射板の外周を囲うように前記反射板の外周側に前記反射板と一体に設けられる光拡散板と、
を具備することを特徴とする照明装置。
【請求項２】
内面がマイクロ発泡樹脂シートで形成された天面と側面から構成され、前記天面との対向面に開口部が形成される枠体と、
前記天面の中心に配置されたＬＥＤ光源と、
前記枠体の開口部に、前記枠体の内側面から所定距離離隔して、前記開口部の中心側に前記天面と対向するように配置される反射板と、
前記枠体の開口部に、前記枠体の内側面と前記天面と対向するように配置される反射板の反射面の裏面側に接し、前記内側面を横断して前記開口部全体を覆うように形成された光拡散板と、を具備することを特徴とする照明装置。
【請求項３】
前記反射板は前記天面の中心と前記反射板の中心が一致するように設けられ、前記光拡散板は、前記反射板と中心が一致するように設けられることを特徴とする請求項１または請求項２記載の照明装置。
【請求項４】
前記ＬＥＤ光源と前記光拡散板を除くすべてがマイクロ発泡樹脂で形成されていることを特徴とする請求項１または請求項２に記載の照明装置。
【請求項５】
前記枠体の内部には、前記反射板を支持する複数の反射仕切板が形成されることを特徴とする請求項１から請求項４のいずれかに記載の照明装置。
【請求項６】
前記反射仕切板は、前記鏡の裏面または前記光拡散板の裏面に配置され、前記反射仕切板の立設部の上端部は、前記光拡散板または前記反射板を支持することを特徴とする請求項５記載の照明装置。
【請求項７】
前記反射板の裏面側の前記反射板に対向する位置に、直接または間接的に鏡が設けられることを特徴とする請求項１から請求項６のいずれかに記載の照明装置。
【請求項８】
前記鏡は、前記枠体の開口部と略相似形状であることを特徴とする請求項７記載の照明装置。
【請求項９】
前記枠体は、円筒形状または略楕円筒形状を有し、前記反射仕切板が、それぞれ相互に等角度に前記天面を区切るように放射状に形成されていることを特徴とする請求項５または請求項６に記載の照明装置。
【請求項１０】
前記天面は、三角形以上の多角形であり、前記反射仕切板は、それぞれ相互に前記多角形の中心と各頂点を結ぶ線上に形成されていることを特徴とする請求項５または請求項６に記載の照明装置。
【請求項１１】
前記マイクロ発泡樹脂シートは、硫酸バリウム標準片の光反射率を１００％とした時の全反射率が９０％以上、拡散反射率が９０％以上であることを特徴とする請求項１から請求項１０のいずれかに記載の照明装置。
【請求項１２】
前記マイクロ発泡樹脂シートは、微細気泡を有するＰＥＴ樹脂、ＰＣ樹脂、難燃ＰＣ樹脂、またはアクリル樹脂のいずれかからなるマイクロ発泡樹脂シートであることを特徴とする請求項１から請求項１１のいずれかに記載の照明装置。
【請求項１３】
前記鏡又は前記光拡散板の背面に設けられる前記反射板の中心に、前記ＬＥＤ光源側に突出する凸部が設けられることを特徴とする請求項１から請求項１２のいずれかに記載の照明装置。
【請求項１４】
前記ＬＥＤ光源が複数配置され、前記ＬＥＤ光源の光の出射方向が、前記天面に対して斜めに向けられることを特徴とする請求項１から請求項１３のいずれかに記載の照明装置。
【請求項１５】
前記枠体がマイクロ発泡樹脂シートからなる内枠体であり、前記内枠体が前記内枠体と略同一形状の別の枠体の内部に装入されて配置されることを特徴とする請求項１から請求項１４のいずれかに記載の照明装置。
【請求項１６】
前記内枠体の側面部の上端部で、前記光拡散板の外周を支持することを特徴とする請求項１５記載の照明装置。
【請求項１７】
前記内枠体と前記枠体の天面の間に挟み込むように、前記内枠体の天面の中心の裏面にＬＥＤ光源を配置し、前記ＬＥＤ光源の配線を前記内枠体と前記枠体の天面の間に配線することを特徴とする請求項１５または請求項１６に記載の照明装置。
【請求項１８】
内面がマイクロ発泡樹脂シートで形成された天面と側面から構成され、前記天面との対向面に開口部が形成される枠体と、
前記天面の中心に配置されたＬＥＤ光源と、
前記枠体の開口部に、前記枠体の内側面から所定距離離隔して配置される鏡と、
前記鏡と前記枠体の内側面との間に、前記開口部の前記鏡の外周側に前記鏡の中心と光拡散板の中心が合うように設けられる光拡散板と、
を具備し、
前記鏡の反射面が光取り出し面の方向に合わせて配置され、前記鏡の裏面には反射板が配置され、前記枠体の内側面と前記鏡との間から光を取り出すことを特徴とする照明装置。
【請求項１９】
内面がマイクロ発泡樹脂シートで形成された天面と側面から構成され、前記天面との対向面に開口部が形成される枠体と、
前記天面の中心に配置されたＬＥＤ光源と、
前記枠体の開口部に、前記枠体の内側面から所定距離離隔して配置される鏡と、
前記鏡の裏面に、前記鏡の中心と光拡散板の中心が合うように開口部を横断して開口部全体を覆うように設けられる光拡散板と、
を具備し、
前記鏡の反射面が光取り出し面の方向に合わせて配置され、前記光拡散板の裏面であって、前記鏡に対応する部位には反射板が配置され、前記光拡散板の前記枠体の内側面と前記鏡との間から光を取り出すことを特徴とする照明装置。
【請求項２０】
内面がマイクロ発泡樹脂シートで形成された天面と側面から構成され、前記天面との対向面に開口部を形成される枠体と、
前記天面の中心に配置されたＬＥＤ光源と、
前記枠体の開口部に、前記枠体の内側面から所定距離離隔して、前記開口部の中心側に天面と対向するように配置される反射板と、
前記枠体の開口部に、前記枠体の内側面に接して、且つ前記反射板の外周を囲うように前記反射板の外周側に前記反射板と一体に設けられる光拡散板と、
を具備する照明装置において、
前記ＬＥＤ光源の光を、少なくとも前記天面の対向面の前記反射板に反射させ、さらに枠体内で拡散反射を繰り返すことで、枠体外周に設けられた開口部に導光して、前記開口部から光を取り出すことを特徴とする照明装置からの光取り出し方法。
【請求項２１】
内面がマイクロ発泡樹脂シートで形成された天面と側面から構成され、前記天面との対向面に開口部を形成される枠体と、
前記天面の中心に配置されたＬＥＤ光源と、
前記枠体の開口部に、前記枠体の内側面から所定距離離隔して、前記開口部の中心側に天面と対向するように配置される反射板と、
前記枠体の開口部に、前記枠体の内側面に接して、前記内側面を横断して前記開口部全体を覆うように形成される光拡散板と、
を具備し、前記光拡散板が前記反射板の反射面の裏面側に接するように配置される照明装置において、
前記ＬＥＤ光源の光を、少なくとも前記天面の対向面の前記反射板に反射させ、さらに枠体内で拡散反射を繰り返すことで、枠体外周に設けられた開口部に導光して、前記開口部から光を取り出すことを特徴とする照明装置からの光取り出し方法。
【請求項２２】
前記光拡散板は、前記反射板と中心が一致するように設けられることを特徴する請求項２０または請求項２１に記載の照明装置からの光取り出し方法。
【請求項２３】
内面がマイクロ発泡樹脂シートで形成された天面と側面から構成される枠体と、
前記枠体の開口部の中心側に前記天面と対向するように配置される反射板と、
前記天面との対向面の反射板の外周側が開口部を形成し、
前記枠体の開口部に、前記枠体の内側面に接して、且つ前記反射板の外周側に前記反射板を囲うように前記反射板と一体に光拡散板が設けられ、前記光拡散板と前記枠体と前記反射板とで形成する導光空間の、中心近傍の側面方向の内側端部にＬＥＤ光源が設けられることを特徴とする照明装置。
【請求項２４】
内面がマイクロ発泡樹脂シートで形成された天面と側面から構成される枠体と、
前記枠体の前記天面との対向面が開口部を形成し、前記枠体の開口部の中心側に前記天面と対向するように配置される反射板と、
前記枠体の開口部に、枠体の内側面を横断して前記開口部全体を覆うように光拡散板が形成され、
前記光拡散板は、前記反射板の反射面の裏面側に、前記反射板の中心と前記光拡散板の中心が合うように配置され、
前記光拡散板と前記枠体と前記反射板とで形成する導光空間の、中心近傍の側面方向の内側端部にＬＥＤ光源が設けられることを特徴とする照明装置。
【請求項２５】
前記照明装置の導光空間の内側端部には、複数のＬＥＤ光源が光の出射方向を相互に反対方向に傾けて、略対称に設けられることを特徴とする請求項２２または請求項２３または請求項２４に記載の照明装置。
【手続補正２】
【補正対象書類名】明細書
【補正対象項目名】発明の名称
【補正方法】変更
【補正の内容】
【発明の名称】照明装置、照明装置からの光取り出し方法
【手続補正３】
【補正対象書類名】明細書
【補正対象項目名】０００１
【補正方法】変更
【補正の内容】
【０００１】
本発明は、照明装置等に関するものである。
【手続補正４】
【補正対象書類名】明細書
【補正対象項目名】００１０
【補正方法】変更
【補正の内容】
【００１０】
本発明は、このような問題に鑑みてなされたもので、薄型であり、少ない光源で効率よく均一に利用者を照らすことが可能な照明装置等を提供することを目的とする。
【手続補正５】
【補正対象書類名】明細書
【補正対象項目名】００１１
【補正方法】変更
【補正の内容】
【００１１】
前述した目的を達するために第１の発明は、内面がマイクロ発泡樹脂シートで形成された天面と側面から構成され、前記天面との対向面に開口部が形成される枠体と、前記天面の中心に配置されたＬＥＤ光源と、前記枠体の開口部に、前記枠体の内側面から所定距離離隔して、前記開口部の中心側に前記天面と対向するように配置される反射板と、前記枠体の開口部に、且つ前記反射板の外周を囲うように前記反射板の外周側に前記反射板と一体に設けられる光拡散板と、を具備することを特徴とする照明装置である。前記光拡散板は、枠体の内側面に接するように設けられても良い。
また、第１の発明では、  内面がマイクロ発泡樹脂シートで形成された天面と側面から構成され、前記天面との対向面に開口部が形成される枠体と、前記天面の中心に配置されたＬＥＤ光源と、前記枠体の開口部に、前記枠体の内側面から所定距離離隔して、前記開口部の中心側に前記天面と対向するように配置される反射板と、前記枠体の開口部に、前記枠体の内側面と前記天面と対向するように配置される反射板の反射面の裏面側に接し、前記内側面を横断して前記開口部全体を覆うように形成された光拡散板と、を具備することを特徴とする照明装置であっても良い。
【手続補正６】
【補正対象書類名】明細書
【補正対象項目名】００１２
【補正方法】変更
【補正の内容】
【００１２】
ここで、枠体の天面と側面は、別体に形成されても、一体に形成されても良い。枠体の天面と側面が別体に形成された場合には、両者を接着により相互に固定することができる。ここで、本発明では、枠体の下面を天面と定義したが、これはＬＥＤ光源を配置する面を基準としたためであり、枠体の下面を底面としても特に問題はないが、本発明では、枠体の下面を天面と定義することになる。
【手続補正７】
【補正対象書類名】明細書
【補正対象項目名】００１３
【補正方法】変更
【補正の内容】
【００１３】
前記反射板は前記天面の中心と前記反射板の中心が一致するように設けられ、前記光拡散板は、前記反射板と中心が一致するように設けられてもよい。
前記ＬＥＤ光源と光取り出し面である前記光拡散板を除くすべてがマイクロ発泡樹脂で形成されてもよい。
前記枠体の内部には、前記反射板を支持する複数の反射仕切板が形成されてもよい。
前記反射仕切板は、前記鏡の裏面または前記光拡散板の裏面に配置され、前記反射仕切板の立設部の上端部は、前記光拡散板または前記反射板を支持してもよい。
【手続補正８】
【補正対象書類名】明細書
【補正対象項目名】００１４
【補正方法】変更
【補正の内容】
【００１４】
前記反射板の裏面側の前記反射板に対応する位置に、直接または間接的に鏡が設けられてもよい。
【手続補正９】
【補正対象書類名】明細書
【補正対象項目名】００１６
【補正方法】変更
【補正の内容】
【００１６】
前記枠体は、円筒形状または略楕筒形状を有し、前記反射仕切板は、それぞれ相互に等角度に前記天面を区切るように放射状に形成されてもよい。
【手続補正１０】
【補正対象書類名】明細書
【補正対象項目名】００１８
【補正方法】変更
【補正の内容】
【００１８】
前記マイクロ発泡樹脂シートは、硫酸バリウム標準片の光反射率を１００％とした時の全反射率が９０％以上、拡散反射率が９０％以上であることが望ましい。
【手続補正１１】
【補正対象書類名】明細書
【補正対象項目名】００２２
【補正方法】変更
【補正の内容】
【００２２】
前記枠体がマイクロ発泡樹脂シートからなる内枠体であり、前記内枠体が前記内枠体と略同一形状の別の枠体の内部に装入されて配置されてもよい。
【手続補正１２】
【補正対象書類名】明細書
【補正対象項目名】００２４
【補正方法】変更
【補正の内容】
【００２４】
前記内枠体と前記枠体の天面の間に挟み込むように、前記内枠体の天面の中心の裏面にＬＥＤ光源を配置し、前記ＬＥＤ光源の配線を前記内枠体と前記枠体の天面の間に配線することができる。
第２の発明は、内面がマイクロ発泡樹脂シートで形成された天面と側面から構成され、前記天面との対向面に開口部が形成される枠体と、前記天面の中心に配置されたＬＥＤ光源と、前記枠体の開口部に、前記枠体の内側面から所定距離離隔して配置される鏡と、前記鏡と前記枠体の内側面との間に、前記開口部の前記鏡の外周側に前記鏡の中心と前記光拡散板の中心が合うように設けられる光拡散板と、を具備し、前記鏡の反射面が光取り出し面の方向に合わせて配置され、前記鏡の裏面には反射板が配置され、前記枠体の内側面と前記鏡との間から光を取り出すことを特徴とする照明装置である。
また、内面がマイクロ発泡樹脂シートで形成された天面と側面から構成され、前記天面との対向面に開口部が形成される枠体と、前記天面の中心に配置されたＬＥＤ光源と、前記枠体の開口部に、前記枠体の内側面から所定距離離隔して配置される鏡と、前記鏡の裏面に、前記鏡の中心と前記光拡散板の中心が合うように開口部を横断して開口部全体を覆うように設けられる光拡散板と、を具備し、前記鏡の反射面が光取り出し面の方向に合わせて配置され、前記光拡散板の裏面であって、前記鏡に対応する部位には反射板が配置され、前記光拡散板の前記枠体の内側面と前記鏡との間から光を取り出すことを特徴とする照明装置である。
第３の発明は、内面がマイクロ発泡樹脂シートで形成された天面と側面から構成され、前記天面との対向面に開口部を形成される枠体と、前記天面の中心に配置されたＬＥＤ光源と、前記枠体の開口部に、前記枠体の内側面から所定距離離隔して、前記開口部の中心側に天面と対向するように配置される反射板と、前記枠体の開口部に、前記枠体の内側面に接して、且つ前記反射板の外周を囲うように前記反射板の外周側に前記反射板と一体に設けられる光拡散板と、を具備する照明装置において、前記ＬＥＤ光源の光を、少なくとも前記天面の対向面の前記反射板に反射させ、さらに枠体内で拡散反射を繰り返すことで、枠体外周に設けられた開口部に導光して、前記開口部から光を取り出すことを特徴とする照明装置からの光取り出し方法である。
また、第３の発明は、内面がマイクロ発泡樹脂シートで形成された天面と側面から構成され、前記天面との対向面に開口部を形成される枠体と、前記天面の中心に配置されたＬＥＤ光源と、前記枠体の開口部に、前記枠体の内側面から所定距離離隔して、前記開口部の中心側に天面と対向するように配置される反射板と、
前記枠体の開口部に、前記枠体の内側面に接して、前記内側面を横断して前記開口部全体を覆うように形成される光拡散板と、を具備し、前記光拡散板が前記反射板の反射面の裏面側に接するように配置される照明装置において、前記ＬＥＤ光源の光を、少なくとも前記天面の対向面の前記反射板に反射させ、さらに枠体内で拡散反射を繰り返すことで、枠体外周に設けられた開口部に導光して、前記開口部から光を取り出すことを特徴とする照明装置からの光取り出し方法である。
前記光拡散板は、前記反射板と中心が一致するように設けられてもよい。
第４の発明は、内面がマイクロ発泡樹脂シートで形成された天面と側面から構成される枠体と、前記枠体の開口部の中心側に前記天面と対向するように配置される反射板と、前記天面との対向面の反射板の外周側が開口部を形成し、前記枠体の開口部に、前記枠体の内側面に接して、且つ前記反射板の外周側に前記反射板を囲うように前記反射板と一体に光拡散板が設けられ、前記光拡散板と前記枠体と前記反射板とで形成する導光空間の、中心近傍の側面方向の内側端部にＬＥＤ光源が設けられることを特徴とする照明装置である。
また、内面がマイクロ発泡樹脂シートで形成された天面と側面から構成される枠体と、前記枠体の前記天面との対向面が開口部を形成し、前記枠体の開口部の中心側に前記天面と対向するように配置される反射板と、前記枠体の開口部に枠体の内側面を横断して前記開口部全体を覆うように光拡散板が形成され、前記光拡散板は、前記反射板の反射面の裏面側に、前記反射板の中心と前記光拡散板の中心が合うように配置され、前記光拡散板と前記枠体と前記反射板とで形成する導光空間の、中心近傍の側面方向の内側端部にＬＥＤ光源が設けられることを特徴とする照明装置であっても良い。
前記照明装置の導光空間の内側端部には、複数のＬＥＤ光源が光の出射方向を相互に反対方向に傾けて、略対称に設けられてもよい。
【手続補正１３】
【補正対象書類名】明細書
【補正対象項目名】００２５
【補正方法】変更
【補正の内容】
【００２５】
第１〜第４の発明によれば、枠体の内面側にマイクロ発泡樹脂シートが設けられ、例えば鏡の外周と枠体の間の光拡散板から光を取り出すため、ＬＥＤ光源が少なくて済み、また、全体から均一な光を取り出すことができる。また、鏡の背面側にであって、ＬＥＤ光源の対向面にもマイクロ発泡樹脂シートが配置されるため、効率よく光を取り出すことができる。また、枠体自体が反射板として機能し、部品点数が少ないため、軽量である。
【手続補正１４】
【補正対象書類名】明細書
【補正対象項目名】００２７
【補正方法】変更
【補正の内容】
【００２７】
また、反射仕切板の立設部により、反射板や光拡散板を容易に支持することができる。これにより、光拡散板を枠体外周部により支持する場合に比べて、反射板や光拡散板の中央部を支持するので安定して支持できる。
【手続補正１５】
【補正対象書類名】明細書
【補正対象項目名】００３８
【補正方法】変更
【補正の内容】
【００３８】
本発明によれば、薄型であり、少ない光源で効率よく均一に利用者を照らすことが可能な照明装置等を提供することができる。本発明では、枠体の天面と側面を光反射率の高いマイクロ発泡樹脂シートにより形成し、さらに鏡の裏面または光拡散板の裏面にマイクロ発泡樹脂シートからなる反射板を設けることで、枠体内面の光取り出し面以外の面をすべて前記反射板で覆うことにより、ＬＥＤ光源の光を鏡の裏面または光拡散板の裏面の前記反射板に反射させ、さらに枠体内で拡散反射を繰り返すことで、均一で十分な明るさを有する鏡付き照明装置を実現できる。また、鏡を配置した光拡散板を、枠体の側面の上端部や反射仕切板の立設部の上端で支持できる。反射仕切板を設ける場合には、光を枠体の外周方向に反射できるので、さらに光拡散板の光取り出し面に光を集めることができる。
【手続補正１６】
【補正対象書類名】明細書
【補正対象項目名】００７０
【補正方法】変更
【補正の内容】
【００７０】
図８（ａ）に示すように、反射仕切板２０の立設部の上端部は、鏡１１の裏面に当接する。したがって、反射仕切板２０は、反射板７と接合される光拡散板９を支持する。このため、照明装置１ｂでは、枠体３の内面に、光拡散板９等を支持する段差が不要であるため、内枠体５を用いる必要がない。このように、マイクロ発泡樹脂シートは、マイクロ気泡を有する樹脂フィルムと異なり、一定の剛性を有することから、反射仕切板２０は、光拡散板９を支持することができる。
【手続補正１７】
【補正対象書類名】明細書
【補正対象項目名】００７３
【補正方法】変更
【補正の内容】
【００７３】
第３の実施形態によれば、第１の実施形態と同様の効果を得ることができる。また、反射仕切板２０を設けることで、ＬＥＤ光源１７からから照射され、枠体または内枠体の内側面で反射した反射光を効率よく外周側に反射させることができる。また、反射仕切板２０によって、反射板７および光拡散板９を支持することができる。